(57)【要約】【課題】  トンネルの覆工コンクリート面などのように、大型の湾曲した施工面に対しても表面処理剤を容易に吹付け施工することができる吹付け装置および吹付け方法を提供する。【手段】  施工面に沿って伸びる供給管と、該供給管に噴射媒体を供給する送液ポンプとを有し、該供給管には噴射媒体を施工面に吹付ける複数のノズルが管長に沿って設けられており、さらに噴射媒体の流圧によって流路を開閉する圧力弁が設けられていることを特徴とし、好ましくは、ノズル内部に圧力弁が形成されており、例えば、供給管がトンネルの壁面に沿って配設され、トンネルの覆工コンクリート面に向かって液体収縮低減剤、養生水、洗浄水や薬剤などの噴射媒体を吹付ける吹付け装置ないし吹付け方法。【選択図】  図１
2006046062.tif 000002
【特許請求の範囲】
【請求項１】
施工面に沿って伸びる供給管と、該供給管に噴射媒体を供給する送液ポンプとを有し、該供給管には噴射媒体を施工面に吹付ける複数のノズルが管長に沿って設けられており、さらに噴射媒体の流圧によって流路を開閉する圧力弁が設けられていることを特徴とする吹付け装置。
【請求項２】
噴射媒体の流路内に設けた弁体と、該弁体を管壁に押圧して流路を塞ぐバネ部材が内装されており、噴射媒体の流圧によって弁体がバネ力に抗して押し戻されて流路を開く圧力弁が形成されている請求項１の吹付け装置。
【請求項３】
ノズルの内部または近傍に圧力弁が設けられている請求項１または２の吹付け装置。
【請求項４】
供給管が管長に沿って連結分割自在であり、湾曲ないし凹凸した施工面に沿って配設可能な請求項１〜３の何れかに記載する吹付け装置。
【請求項５】
供給管がトンネルの壁面に沿って配設され、トンネルの覆工コンクリート面に向かって液体収縮低減剤、養生水、洗浄水、または薬剤を吹付ける請求項１〜４の何れかに記載する吹付け装置。
【請求項６】
供給管が移動自在なコンクリート型枠に設置され、コンクリートの脱型と同時ないし脱型直後に液体収縮低減剤、養生水、洗浄水、塗料、または薬剤をコンクリート面に吹付ける請求項５の吹付け装置
【請求項７】
施工面に沿って伸びる供給管を通じて噴射媒体を施工面に吹付ける方法において、噴射媒体の流圧によって流路が開閉する圧力弁を介して噴射媒体を吹付けることを特徴とする吹付け方法。
【請求項８】
噴射媒体の流路内に設けた弁体と、該弁体を管壁に押圧して流路を塞ぐバネ部材によって形成された圧力弁がノズルの内部または近傍に設けられており、該圧力弁およびノズルを介して噴射媒体を施工面に吹付ける請求項７の吹付け方法。
【請求項９】
噴射媒体が液体収縮低減剤、養生水、洗浄水、塗料、または各種薬剤であり、コンクリート面にこれらの媒体を吹付ける請求項７または８の吹付け方法。
【発明の詳細な説明】
【技術分野】
【０００１】
本発明は、トンネルの覆工コンクリート面などのように、大型の湾曲した施工面に対しても乾燥収縮低減剤などの表面処理剤を容易に吹付け施工することができる吹付け装置および吹付け方法に関する。
【背景技術】
【０００２】
コンクリートの乾燥収縮によるひび割れを防止するために、収縮低減剤を使用することが従来から知られている。収縮低減剤の使用方法としては、コンクリートの混練時に直接添加する方法、打設後のコンクリート表面に塗布ないし噴霧する方法などが行われている。しかし、収縮低減剤をコンクリートに添加する方法では収縮低減剤の量が少ないと表層部に対して効果が不十分になると云う問題がある。一方、コンクリート表面に収縮低減剤を塗布ないし噴霧する方法は、塗布や噴霧に手間がかかり、また乾燥が進むと効果が無いなどの問題が指摘されている（特許文献１）。特にトンネルの覆工コンクリートなどは大型であり、しかも逆Ｕ字型の断面を有するので、収縮低減剤を塗布ないし噴霧するのは容易ではない。
【０００３】
一方、コンクリート表面に防水用表面処理剤と耐久用表面処理剤をコンクリート表面に吹付け、浸透散水後に乾燥させ、防水層や硬化層を形成するコンクリートの表面処理方法が知られている（特許文献２）。しかし、この表面処理方法もトンネルの覆工コンクリート面などの大型施工面に対して表面処理剤を吹付け施工するのは容易ではない。
【０００４】
また、トンネルなどのコンクリート壁に対する吹付け施工を行う装置としては、トラックの荷台に上下左右に動くアームを設け、このアームにホースを取り付け、ホース先端に設けた吹付けノズルから薬液や洗浄水などをコンクリート壁に向かって吹付ける装置が従来知られている（特許文献３）。しかし、この装置は単一の吹付けノズルから薬液等を噴射する構造であるため噴射範囲が限られ、トンネルのコンクリート全面に施工する場合などは施工能率が劣ると云う問題がある。
【特許文献１】特開平１１−２５６８１９号公報
【特許文献２】特開２００３−３４２０８５号公報
【特許文献３】特開平１０−２３１５７５号公報
【発明の開示】
【発明が解決しようとする課題】
【０００５】
本発明は、従来の施工方法および施工装置における上記問題を解決したものであり、トンネルの覆工コンクリート面などのように、大型の湾曲した施工面に対しても乾燥収縮低減剤などの表面処理剤を容易に吹付け施工することができる吹付け装置および吹付け方法を提供する。
【課題を解決するための手段】
【０００６】
本発明によれば以下の構成からなる吹付け装置が提供される。
（１）施工面に沿って伸びる供給管と、該供給管に噴射媒体を供給する送液ポンプとを有し、該供給管には噴射媒体を施工面に吹付ける複数のノズルが管長に沿って設けられており、さらに噴射媒体の流圧によって流路を開閉する圧力弁が設けられていることを特徴とする吹付け装置。
（２）噴射媒体の流路内に設けた弁体と、該弁体を管壁に押圧して流路を塞ぐバネ部材が内装されており、噴射媒体の流圧によって弁体がバネ力に抗して押し戻されて流路を開く圧力弁が形成されている上記(1)の吹付け装置。
（３）  ノズルの内部または近傍に圧力弁が設けられている上記(1)または(2)の吹付け装置。
（４）供給管が管長に沿って連結分割自在であり、湾曲ないし凹凸した施工面に沿って配設可能な上記(1)〜(3)の何れかに記載する吹付け装置。
（５）供給管がトンネルの壁面に沿って配設され、トンネルの覆工コンクリート面に向かって液体収縮低減剤、養生水、洗浄水、または薬剤を吹付ける上記(1)〜(4)の何れかに記載する吹付け装置。
（６）供給管が移動自在なコンクリート型枠に設置され、コンクリートの脱型と同時ないし脱型直後に液体収縮低減剤、養生水、洗浄水、塗料、または薬剤をコンクリート面に吹付ける上記(5)の吹付け装置
【０００７】
また、本発明は以下の吹付け方法に関する。
（７）施工面に沿って伸びる供給管を通じて噴射媒体を施工面に吹付ける方法において、噴射媒体の流圧によって流路が開閉する圧力弁を介して噴射媒体を吹付けることを特徴とする吹付け方法。
（８）噴射媒体の流路内に設けた弁体と、該弁体を管壁に押圧して流路を塞ぐバネ部材によって形成された圧力弁がノズルの内部または近傍に設けられており、該圧力弁およびノズルを介して噴射媒体を施工面に吹付ける上記(7)の吹付け方法。
（９）噴射媒体が液体収縮低減剤、養生水、洗浄水、塗料、または各種薬剤であり、コンクリート面にこれらの媒体を吹付ける上記(7)または(8)の吹付け方法。
【発明の効果】
【０００８】
本発明の吹付け装置および吹付け方法は、施工面に沿って伸びる供給管を有し、噴射媒体を施工面に吹付ける複数のノズルが管長に沿って設けられているので、従来の吹付け装置のように単一の噴射ノズルによる吹付け作業とは異なり、施工面に対して同時に広く吹付け作業を行うことができ、作業能率が格段に向上する。
【０００９】
また、本発明の吹付け装置および吹付け方法は、噴射ノズルの内部または近傍には噴射媒体の流圧によって流路が開閉する圧力弁が形成されているので、上下の高低差が大きい施工面に対しても一定圧力以上の均一な流圧で媒体が噴射され、均一な吹付け施工を行うことができ、また、噴射媒体の供給を停止した場合にも上下均等に媒体の噴射を止めることができる。
【００１０】
従って、本発明の吹付け装置および吹付け方法は、トンネルの覆工コンクリート面などのように大型の湾曲した施工面に対して、液体乾燥収縮低減剤などの表面処理剤を吹付け施工するのに適する。
【発明を実施するための最良の形態】
【００１１】
以下、本発明を図面に基づいて具体的に示す。図１は本発明に係る吹付け装置の概略図であり、図２はノズル部分の概略断面である。図１に示すように、本発明の吹付け装置は、施工面に沿って伸びる供給管１０と、該供給管１０に噴射媒体を供給する送液ポンプ１１を有し、供給管の管長に沿って複数のノズル１２が施工面に向かって設けられており、該ノズル１２には噴射媒体の流圧によって流路を開閉する圧力弁１３が形成されている。
【００１２】
供給管１０の材質は限定されない。布製やゴム製のホースでも良く、あるいは樹脂製のパイプや鋼管でも良い。図示するように、供給管１０は施工面に沿って伸びるように形成される。布製やゴム製のホースを用いる場合には一連の長いホースを用いることができ、または複数本のホースを連結しても良い。樹脂製のパイプや鋼管を用いる場合には、例えば、供給管１０を管長に沿って連結分割自在に形成し、湾曲ないし凹凸した施工面に対して複数本の管を連結することによって、施工面に沿って供給管１０を配設すると良い。
【００１３】
具体的には、例えば、供給管１０は、図示するように、トンネルのコンクリート壁に対して、その逆Ｕ字型断面の全面に沿って配設される。供給管１０をトンネルの逆Ｕ字型断面に沿って設けるには、コンクリートの型枠を利用することができる。例えば、トンネルの掘削面に一次覆工コンクリートを吹付け施工した後、この一次覆工コンクリートの上に二次覆工コンクリートを施工する場合、コンクリート型枠が使用され、この型枠はトンネルの進行方向に沿って移動自在な構造のものが用いられている。このコンクリートの型枠を利用し、供給管１０をコンクリート型枠の支持枠（図示省略）に取り付けて使用することができる。
【００１４】
コンクリート型枠を利用して供給管１０を設置することによって、コンクリートの脱型と同時ないし脱型直後に液体収縮低減剤などの吹付け施工を行うことができる。収縮低減剤はコンクリートの乾燥が進まないうちに施工する必要があり、コンクリートの脱型と同時ないし脱型直後に施工できることによって収縮低減剤の効果を十分に発揮させることができる。
【００１５】
供給管１０には、その管長に沿って複数のノズル１２が施工面（例えば、コンクリート壁面）に向かって設けられている。ノズル１２の間隔ないし装着数は施工条件に応じて定めれば良い。このノズル１２には噴射媒体の流圧によって流路を開くする圧力弁１３が形成されている。圧力弁１３としては、例えば、噴射媒体の流路を塞ぐ弁体と、該弁体を流路に押圧するバネ部材とをノズル内部に設け、噴射媒体の流圧によって弁体がバネ力に抗して押し戻され、流路が開くように形成すると良い。
【００１６】
ノズル内部の圧力弁の具体例を図２に示す。図示するように、筒状のノズル１２の内部空間に噴射媒体が流れる管２０が連結しており、この内部空間のノズル先端側には溝２１が形成されており、この溝２１はノズル口２２に連通し、かつバネ部材２３が収納されている。また、上記管２０と溝２１の間には球状の弁体２４が内装されており、この弁体２４は上記バネ部材２３によって管２０の管端に押圧されている。球状弁体２４は例えば塩化ビニール製の球体を用い、管端は球状弁体２４に密着するように形成され、弁体２４が管端に押圧されることによって噴射媒体の流路が閉じられている。噴射媒体が流れ、その流圧がバネ力を上回ると、弁体２４が押し戻されて管端を離れ、噴射媒体の流路が開き、噴射媒体がノズル１２の内部空間を流れ、溝２１を通じてノズル口２２から噴射される。
【００１７】
図２の圧力弁は、バネ力を調整することによって異なる流圧に対応することができる。例えば、図１に示すトンネルの二次覆工コンクリート面に液体収縮低減剤を吹付ける場合、トンネルの頂部に向かって配置される供給管の上側部分よりも、側壁に向かって配置される供給管の下側部分は管内を流れる液体収縮低減剤の流圧が高い。そこで、供給管１０の下側部分のノズル１２に内装されるバネ部材２３を上側部分のバネ部材２３よりもバネ力の大きいものを用いることによって、上下均等に流圧を制御することができる。
【００１８】
なお、図２の圧力弁の構造において、溝２１の形成されるノズル１２の先端部分をネジによる連結構造とし、ノズル先端部分のネジ込み深さを調整することによって溝２１の深さを変え、溝２１に収納されているバネ部材２３のバネ力を調整できるようにしても良い。
【００１９】
上記装置構成において、供給管１０を施工面に対して設置した後に、液体収縮低減剤や洗浄水などの噴射媒体を送液ポンプ１１によって供給管１０に送り込む。供給管１０に流入された噴射媒体が所定の流圧以上になると噴射媒体の流れがノズル内部の圧力弁を押し開いてノズル口２２から施工面に向かって噴射される。一方、送液ポンプによる供給を停止し、あるいは送液量を減少することによって、供給管１０を流れる噴射媒体の流圧が低下し、圧力弁が閉じて媒体の噴射が止まる。
【００２０】
本発明の吹付け装置は、図１に示すような、トンネルの覆工コンクリート面に液体収縮低減剤を吹付け施工する装置に限らず、噴射媒体が塗料である塗料吹付け装置、噴射媒体が養生水や洗浄水ないし洗浄薬液である吹付け洗浄装置、または噴射媒体が液体防水剤や樹脂モルタル等のコーティング材である表面処理吹付け装置などとして使用することができる。
【００２１】
因みに、本発明のような圧力弁がノズルに内装されていないと、図２のように上下の高低差が大きい場合、トンネル上方に設置された部分よりもトンネル下方に設置された部分の流圧が高低差分だけ高いので、トンネル上方に対して噴射されないうちにトンネル下方に対して噴射が始まり、均一な吹付け作業ができない。また、媒体の供給を停止し、トンネル上方に対する噴射が止んでも、トンネル下方に対する部分は高低差分の流圧が残り、噴射媒体の漏れが生じる。本発明の吹付け装置は圧力弁がノズルに内装されているので、このような不都合を生じない。
【００２２】
本発明によれば、上記吹付け装置を用いることによって、施工面に沿って伸びる供給管を通じて噴射媒体を施工面に吹付ける方法において、（イ）噴射媒体の流圧によって流路が開閉する圧力弁を介して噴射媒体を吹付ける方法、（ロ）噴射媒体の流路内に設けた弁体と、該弁体を管壁に押圧して流路を塞ぐバネ部材によって形成された圧力弁およびノズルを介して噴射媒体を施工面に吹付ける方法、（ハ）噴射媒体として液体収縮低減剤、養生水、洗浄水、塗料、または各種薬剤をコンクリート面に吹付ける方法を実施することができる。
【図面の簡単な説明】
【００２３】
【図１】本発明の吹付け装置の概略断面図
【図２】本発明の吹付け装置に用いるノズル内部の概略断面図
【符号の説明】
【００２４】
１０−供給管、１１−送液ポンプ、１２−ノズル、１３−圧力弁、２０−管、２１−溝、２２−ノズル口、２３−バネ部材、２４−弁体。
【図１】
2006046062.tif 000003
【図２】
2006046062.tif 000004